(57)【要約】【課題】太陽光以外のエネルギーを使用せず、かつ太陽光を効率よく使用し、花粉や黄砂の付着防止やダニ退治効果、また直射日光による色あせ防止効果のある布団干し用のカバーシートを提供することを課題とするものである。【解決手段】日光によって布団を干すためのカバーシートであって、布団の片面を全て覆うシート状の平坦部１と、当該平坦部１の側縁を弾性的に絞ることによって形成した袋状の包囲部１を有するとともに、  表面が黒色または太陽光を反射しにくい黒色に近似した濃い色によって形成されていることを特徴とする。【選択図】図１
2009232909.tif 000002
【特許請求の範囲】
【請求項１】
日光によって布団を干すためのカバーシートであって、
布団の片面を全て覆うシート状の平坦部と、当該平坦部の側縁を弾性的に絞ることによって形成した袋状の包囲部を有するとともに、
少なくとも表面が黒色または太陽光を反射しにくい黒色に近似した濃い色によって形成されていることを特徴とするカバーシート。
【請求項２】
日光によって布団を干すためのカバーシートであって、
布団の片面を全て覆う矩形に形成したシート状の平坦部を有するとともに、当該平坦部の４つ角全ての裏面に前記布団の角部を収容する収容部を形成し、
少なくとも表面が黒色または太陽光を反射しにくい黒色に近似した濃い色によって形成されていることを特徴とするカバーシート。
【発明の詳細な説明】
【技術分野】
【０００１】
本発明は、布団を干す際に使用する布団干し用のカバーシートに関するものである。
【背景技術】
【０００２】
従来、布団を干すには布団乾燥機（特許文献１参照）を使用するか、日光干しをするのが一般的である。しかし、布団乾燥機は電力を必要とするものであるから、環境的、経済的な面から使用を考えるとあまり勧められるものではない。また、単なる日光干しでは、乾燥に時間がかかるものであるし、花粉が付着したり、ダニ退治の効果も十分に発揮できないものである。
【特許文献１】特開２００８−１７８８８号公報
【発明の開示】
【発明が解決しようとする課題】
【０００３】
本願発明は、上記課題に鑑み発明されたものであって、太陽光以外のエネルギーを使用せず、かつ太陽光を効率よく使用し、花粉や黄砂の付着防止やダニ退治効果のある布団干し用のカバーシートを提供することを課題とするものである。
また、布団に対する着脱を迅速に行える布団干し用のカバーシートを提供することを課題とするものである。
【課題を解決するための手段】
【０００４】
上記課題を解決するために、本願発明は以下の構成を有する。すなわち、
日光によって布団を干すためのカバーシートであって、
布団の片面を全て覆うシート状の平坦部と、当該平坦部の側縁を弾性的に絞ることによって形成した袋状の包囲部を有するとともに、
少なくとも表面が黒色または太陽光を反射しにくい黒色に近似した濃い色によって形成されていることを特徴とするカバーシート。
【０００５】
また、本願発明は以下の構成を有する。すなわち、
日光によって布団を干すためのカバーシートであって、
布団の片面を全て覆う矩形に形成したシート状の平坦部を有するとともに、当該平坦部の４つ角全ての裏面に前記布団の角部を収容する収容部を形成し、
少なくとも表面が黒色または太陽光を反射しにくい黒色に近似した濃い色によって形成されていることを特徴とするカバーシート。
【発明の効果】
【０００６】
本発明に係るカバーシートは、布団を覆う黒色系統の色に着色されたシートであるから、太陽光を吸収しやすく温度が上昇しやすい。また、表面に装着するシートであって布団とシートの距離が大きく離れることのない構造を有しているので、布団とシートの間に保温空間が形成されるようになっている。当該作用により、布団を効率的に乾燥させることができダニ駆除にも効果があるものである。また、布団に花粉や黄砂を付着させない効果もある他、直射日光による色あせの防止効果もある。
本発明に係るカバーシートは、布団全体を収容する袋形状ではなく、表面に装着するものであるから、装着や取り外しが極めて容易である。布団干しは日常的に行うものであるため、装着が面倒だとその作業負担は大きなものとなる。本発明は、このような観点からも効果があるものである。
【発明を実施するための最良の形態】
【０００７】
図１は本願発明に係る布団干し用のカバーシート１の外観図を表しており、図１（ａ）は表面側から見た平面図、図１（ｂ）は側部からみた断面図を表している。カバーシート１は、僅かに通気性のある布によって形成されており、黒色に着色されている。なお、着色された色は太陽光を反射しにくい黒色に近似した濃い色に着色さればよい。
【０００８】
カバーシート１は、干すべき敷き布団若しくは掛け布団の表面を覆う大きさの矩形の平坦部２を有しており、当該平坦部の側縁には覆った布団の外周縁を包み込むように包囲する包囲部３が設けられている。当該包囲部３の端部には、伸縮性のゴムが縫着されており外周縁を縮めるように形成されている。当該構成によって、布団若しくは掛け布団の表面にカバーシート１を装着する場合、包囲部３が布団若しくは掛け布団の端縁部を覆って保持するように係合することができる。
【０００９】
前記カバーシート１を装着した布団を、カバーシート１を上面にして日光に照らすと、カバーシート１が太陽光を吸収して表裏面の温度が上昇する。そして、温度が上昇したカバーシート１に包まれる布団の温度も上昇し、これにより含まれている湿気が蒸散する。とくに、カバーシート１の裏面と布団によって構成される空間には保温効果も生じ、当該空間の温度は単体で布団を干す場合と比較して布団の温度を上昇させることになるので、布団の乾燥に加えてダニの排除に効果がある。
また、カバーシート１は僅かながら通気性のある素材によって形成されている。したがって、蒸発した湿気がカバーシート１を介して発散されるので、湿気が内部にこもることもない。
【００１０】
また、カバーシート１は布団の表面部のみを覆うようになっている。これは、布団に対するカバーシート１の装着性と、湿気の放散性を考慮したことによる。カバーシート１は、裏面に結露を生じない程度の通気性を有しているが、過度に通気性が高いと加熱された空気自体が逃げてしまい保温効果が損なわれて乾燥効果が減退する。したがって、比較的高密度に織られた繊維ではあるものの適度な通気性を有するシートを使用している。
また、表面と周囲を覆うことで、日陰となる布団の裏面を覆わない構造を採用しているのは、通気による乾燥を促すためである。
また、レースやフリルなどによる装飾を施してもよい。
なお、上記図１に示した例は、布団の四辺全てを包囲部によって包み込む形態を成しているが、長手方向端部の互いに対向する２辺それぞれに、布団の一側縁全体を覆う包囲部を設けても構わない。
【００１１】
図２は、本発明に係る他のカバーシート１０の外観図を表している。カバーシート１０は、前述したカバーシート１と同様に僅かに通気性のある布によって形成されており、黒色又は太陽光を反射しにくい黒色に近似した濃い色に着色された平坦部１１を有している。平坦部１１は、布団の外形形状に合わせて矩形に形成されている。そして、当該矩形に形成された平坦部１１の4つ角の裏面には、それぞれ三角形状の布片１２が縫着されている。当該布片１２は、３辺の内の２辺が平坦部の側縁に縫着され、残りの一辺が内側に向かって開口を有することで、開口を有した収容部を形成するようになっている。当該収容部には、装着する布団の角部が差し込まれ、これによりカバーシート１０が布団に対して固定されるようになっている。
【００１２】
当該カバーシート１０も前述したカバーシート１と同様の作用効果を有するものであり、太陽光の吸収によって効率よく布団の乾燥、ダニ退治をすることが出来るものである。
なお、当該例は三角形状の布辺によって４つ角に収容部を形成したが、布団に装着することができるのであれば、収容部の形態は当該例に限るものではない。
【図面の簡単な説明】
【００１３】
【図１】布団干し用のカバーシートの外観図である。
【図２】他の布団干し用のカバーシートの外観図である。
【符号の説明】
【００１４】
１  カバーシート
２  平坦部
３  包囲部
【図１】
2009232909.tif 000003
【図２】
2009232909.tif 000004